(57)【特許請求の範囲】
【請求項１】
建具側蝶番を開き戸に取り付けるために、前記開き戸の側端面にその厚み方向の全長にわたって形成された切欠部に嵌め込まれる蝶番取付用スペーサであって、
前記建具側蝶番の先端側が重ね合わされる基板と、
前記基板に重ね合わされた前記建具側蝶番の先端部を当接させて前記建具側蝶番を前記開き戸の厚み方向に位置決めする、前記基板の一方の側端部に連設された突出部と、前記基板に重ね合わされた前記建具側蝶番を前記開き戸の上下方向に位置決めする、前記基板の上下端部にそれぞれ連設された突出部とを備え、
前記開き戸の側端面に形成された切欠部に嵌め込んだ状態で、前記開き戸の表面に当接する係止部が、前記基板の上下端部にそれぞれ連設された前記突出部における前記基板の他方の側端部側に設けられていることを特徴とする蝶番取付用スペーサ。
【請求項２】
前記基板の一方の側端部に連設された前記突出部に、前記係止部が設けられている請求項１に記載の蝶番取付用スペーサ。
【請求項３】
前記突出部が連設されていない前記基板の他方の側端部に、前記係止部が形成されている請求項１または２に記載の蝶番取付用スペーサ。
【請求項４】
前記基板の側端部の全長にわたって、前記係止部が設けられている請求項３に記載の蝶番取付用スペーサ。
【発明の詳細な説明】
【０００１】
【発明の属する技術分野】
この発明は、建具側蝶番を開き戸に取り付けるために、開き戸の厚み方向の全長にわたって開き戸の端面に形成された切欠部に嵌め込まれる蝶番取付用スペーサ、特に、建具側蝶番を開き戸に精度よく取り付けることができる蝶番取付用スペーサに関する。
【０００２】
【従来の技術】
開き戸に建具側蝶番を取り付ける場合は、図７（ａ）、（ｂ）に示すように、開き戸５０の吊り元となる一方の側端面５１に建具側蝶番６０の先端側が嵌り込む切欠部５２を予め形成しておき、この切欠部５２に建具側蝶番６０を嵌め込んで位置決めした状態で、建具側蝶番６０を開き戸５０にネジ止めするのが一般的である。
【０００３】
また、こういった開き戸５０には、右側に吊り元がくる場合と、左側に吊り元がくる場合とがあるので、開き戸５０の右側に吊り元がくる場合は開き戸５０の右側端面に右吊り用の建具側蝶番６０を、開き戸５０の左側に吊り元がくる場合は開き戸５０の左側端面に左吊り用の建具側蝶番６０をそれぞれ取り付けなければならない。
【０００４】
ところで、表裏両面が同一のデザインを有している開き戸については、左右の吊り元に関係なく、開き戸の共通化を図りたいといった要望があるが、上述したように、建具側蝶番６０の形状に合わせて建具側蝶番６０が嵌り込む切欠部５２を開き戸５０の側端面５１に形成する場合は、開き戸５０の厚み方向の前後で切欠部５２の形状が異なっているので、例えば、図８（ａ）に示すように、開き戸５０の右側端面に右吊り用の建具側蝶番６０を取り付けるための切欠部５２が形成された開き戸５０を、同図（ｂ）に示すように、１８０゜反転させて左吊り用の開き戸５０として使用しようとしても、切欠部５２の向きが逆になるので、その切欠部５２に左吊り用の建具側蝶番６０を取り付けることはできない。
【０００５】
従って、表裏両面が同一のデザインを有している開き戸についても、右側端面に切欠部５２が形成された右吊り用の開き戸５０と、左側端面に切欠部５２が形成された左吊り用の開き戸５０とをそれぞれ用意しておかなければならず、生産管理、在庫管理が繁雑になるという問題があった。
【０００６】
こういった問題を解決するため、図９（ａ）、（ｂ）に示すような蝶番取付用スペーサ７０を使用することによって、表裏両面が同一のデザインを有している開き戸５０の共通化を図っている。この蝶番取付用スペーサ７０は、同図に示すように、建具側蝶番６０の先端側が重ね合わされる基板７１と、この基板７１に重ね合わされた建具側蝶番６０を開き戸５０の厚み方向及び上下方向にそれぞれ位置決めする、基板７１の一方の側端部及び上下端部にそれぞれ連設された突出部７２、７３とを有しており、基板７１には、建具側蝶番６０を開き戸５０にネジ止めするためのネジの挿通穴７１ａが形成されている。
【０００７】
この蝶番取付用スペーサ７０を用いて建具側蝶番６０を開き戸５０に取り付けるには、まず、図１０（ａ）、（ｂ）に示すように、開き戸５０の一方の側端面５１に蝶番取付用スペーサ７０が丁度嵌り込む切欠部５２を開き戸５０の厚み方向の全長にわたって形成し、同図（ｃ）、（ｄ）に示すように、この切欠部５２に蝶番取付用スペーサ７０を嵌め込む。
【０００８】
そして、同図（ｅ）、（ｆ）に示すように、蝶番取付用スペーサ７０の上下の突出部７３の間に嵌め込むようにして建具側蝶番６０の先端側を基板７１に重ね合わせ、その先端部を基板７１の一方の側端部に連設された突出部７２に当接させることによって位置決めした状態で、ネジ６１によって建具側蝶番６０を蝶番取付用スペーサ７０を介して開き戸５０にネジ止めする。
【０００９】
以上のように、この蝶番取付用スペーサ７０は、開き戸５０の側端面５１にその厚み方向の全長にわたって形成された切欠部５２に嵌め込まれるものであるので、吊り元を左右逆にするために、切欠部５２が形成された開き戸５０を１８０゜反転しても、側端面５１に形成された切欠部５２の形状が変化することがなく、その切欠部５２に、上下を逆にするようにして表裏を反転させた蝶番取付用スペーサ７０を嵌め込んで、同様に建具側蝶番６０を取り付けることができる。
【００１０】
従って、この蝶番取付用スペーサ７０を用いて建具側蝶番６０を開き戸５０に取り付ける場合は、左右の吊り元に関係なく、開き戸５０の一方の側端面５１にその厚み方向の全長にわたって切欠部５２を形成しておけばよいので、右吊り用の開き戸５０と左吊り用の開き戸５０とを共通化することができ、開き戸５０の生産管理及び在庫管理が容易になるという効果がある。
【００１１】
【発明が解決しようとする課題】
しかしながら、上述した蝶番取付用スペーサ７０を介して建具側蝶番６０を開き戸５０に取り付ける場合は、以下に示すような問題がある。即ち、蝶番取付用スペーサ７０を嵌め込むために形成された切欠部５２は、図１０（ａ）、（ｂ）に示すように、厚み方向の全長にわたって開き戸５０の側端面５１に形成されているので、切欠部５２に嵌め込まれた蝶番取付用スペーサ７０は、切欠部５２内を開き戸５０の厚み方向に自由に移動することができる状態にある。
【００１２】
従って、切欠部５２に蝶番取付用スペーサ７０を嵌め込んだ状態では、図１１（ａ）、（ｂ）に示すように、蝶番取付用スペーサ７０が位置ずれしていなくても、建具側蝶番６０の先端部を蝶番取付用スペーサ７０の突出部７２に当接させて位置決めする際や、建具側蝶番６０を開き戸５０にネジ止めする際に、同図（ｃ）、（ｄ）に示すように、蝶番取付用スペーサ７０が開き戸５０の厚み方向に位置ずれを起こし、建具側蝶番６０を開き戸５０の所定位置に精度よく取り付けることができない場合がある。
【００１３】
そこで、この発明の課題は、建具側蝶番を開き戸の所定位置に精度よく取り付けることができる蝶番取付用スペーサを提供することにある。
【００１４】
【課題を解決するための手段及びその効果】
上記の課題を解決するため、請求項１に係る発明は、建具側蝶番を開き戸に取り付けるために、前記開き戸の側端面にその厚み方向の全長にわたって形成された切欠部に嵌め込まれる蝶番取付用スペーサであって、前記建具側蝶番の先端側が重ね合わされる基板と、前記基板に重ね合わされた前記建具側蝶番の先端部を当接させて前記建具側蝶番を前記開き戸の厚み方向に位置決めする、前記基板の一方の側端部に連設された突出部と、前記基板に重ね合わされた前記建具側蝶番を前記開き戸の上下方向に位置決めする、前記基板の上下端部にそれぞれ連設された突出部とを備え、前記開き戸の側端面に形成された切欠部に嵌め込んだ状態で、前記開き戸の表面に当接する係止部が、前記基板の上下端部にそれぞれ連設された前記突出部における前記基板の他方の側端部側に設けられていることを特徴とする蝶番取付用スペーサを提供するものである。なお、ここにいう「開き戸の表面」とは、開き戸の端面を除いた開き戸の内面や外面を意味している。
【００１５】
以上のように、この蝶番取付用スペーサは、開き戸の側端面に形成された切欠部に嵌め込んだ状態で、開き戸の表面に当接する係止部が設けられているので、建具側蝶番の先端部を蝶番取付用スペーサの突出部に当接させて位置決めする際や、建具側蝶番を開き戸にネジ止めする際、その係止部を開き戸の表面に押し付けることにより、開き戸に対する蝶番取付用スペーサの位置ずれを確実に防止することができ、建具側蝶番を開き戸の所定位置に精度よく取り付けることができる。
【００１６】
特に、この蝶番取付用スペーサでは、基板の上下端部にそれぞれ連設された突出部における基板の他方の側端部側に前記係止部が設けられているので、建具側蝶番の先端部を蝶番取付用スペーサの突出部に当接させて位置決めする際、係止部が開き戸の表面に自然に押し付けられて蝶番取付用スペーサが開き戸の所定位置に同時に位置決めされ、建具側蝶番の取付作業性が向上すると共に、切欠部と蝶番取付用スペーサとの間に上下方向の隙間が形成されている場合であっても、その隙間が係止部によって隠蔽されるので、開き戸の意匠性が向上する。
【００１７】
また、請求項２に係る蝶番取付用スペーサのように、前記基板の一方の側端部に連設された前記突出部に、前記係止部が設けられているものにあっては、開き戸の側端面に形成された切欠部に嵌め込むことによって、基板の上下端部にそれぞれ連設された突出部における基板の他方の側端部側に設けられた係止部と、基板の一方の側端部に連設された突出部に設けられた係止部の双方が、開き戸の表面（内面及び外面）に同時に当接して開き戸に対して確実に位置決めされるので、係止部を開き戸の表面に押し付けて位置決めする必要がなく、建具側蝶番の取付作業性がさらに向上する。
【００１８】
また、請求項３に係る蝶番取付用スペーサのように、突出部が連設されていない前記基板の他方の側端部に、係止部を形成してもよく、特に、請求項４に係る蝶番取付用スペーサのように、前記基板の側端部の全長にわたって、前記係止部を設けておくと、切欠部と蝶番取付用スペーサとの間に上下方向の隙間が形成されている場合であっても、係止部を開き戸の表面に押し付ける際、切欠部内において蝶番取付用スペーサが回転することがないので、蝶番取付用スペーサを開き戸に対して精度よく位置決めすることができる。
【００２０】
【発明の実施の形態】
以下、実施の形態について図面を参照して説明する。図４に示すように、この蝶番取付用スペーサ１は、開き戸２０の吊り元となる一方の側端面２１に形成された切欠部２２に嵌め込まれる樹脂成形品であり、この蝶番取付用スペーサ１を介して建具側蝶番３１を開き戸２０に取り付けるようになっている。なお、図４において、３４は枠側蝶番を、４０はドア枠をそれぞれ示している。
【００２１】
この蝶番取付用スペーサ１は、図１（ａ）、（ｂ）、（ｃ）に示すように、建具側蝶番３１の先端側が重ね合わされる基板１１と、この基板１１に重ね合わされた建具側蝶番３１を開き戸２０の厚み方向及び上下方向にそれぞれ位置決めする、基板１１の一方の側端部及び上下端部にそれぞれ連設された突出部１２、１３とを備えており、基板１１には、建具側蝶番３１を開き戸２０の切欠部２２にネジ止めするためのネジ挿通穴１１ａが形成されている。
【００２２】
前記突出部１２が連設されていない基板１１の他方の側端縁には、その全長にわたって、基板１１の裏面側に張り出して開き戸２０の表面に当接する係止片１４が設けられていると共に、基板１１の上下端部にそれぞれ連設された突出部１３における基板１１の他方の側端部側の端縁には、外側に張り出して開き戸２０の表面に当接する係止片１５がそれぞれ設けられており、両係止片１４、１５は、相互に繋がっている。
【００２３】
以上のように構成された蝶番取付用スペーサ１を用いて開き戸２０に建具側蝶番３１を取り付けるには、まず、図２（ａ）、（ｂ）に示すように、開き戸２０の吊り元となる一方の側端面２１に、その厚み方向の全長にわたって切欠部２２を形成した後、同図（ｃ）、（ｄ）に示すように、係止片１４、１５を開き戸２０の表面２３に当接させて位置決めしながら、切欠部２２に蝶番取付用スペーサ１を嵌め込む。
【００２４】
そして、図３（ａ）、（ｂ）に示すように、建具側蝶番３１の先端側を突出部１２が形成されていない基板１１の他方の側端部側から突出部１３の間に嵌め込んで基板１１上に重ね合わせ、同図（ｃ）、（ｄ）に示すように、建具側蝶番３１の先端部を突出部１２に当接させることによって位置決めした状態で、建具側蝶番３１のネジ挿通穴３２及び蝶番取付用スペーサ１のネジ挿通穴１１ａにネジ３３を挿通して開き戸の２０切欠部２２にネジ止めすると、建具側蝶番３１の開き戸２０への取付作業が完了する。
【００２５】
以上のように、この蝶番取付用スペーサ１は、突出部１２が連設されていない基板１１の他方の側端縁に、基板１１の裏面側に張り出して開き戸２０の表面２３に当接する係止片１４が設けられているので、蝶番取付用スペーサ１を開き戸２０の切欠部２２に嵌め込んだ状態で、係止片１４を開き戸２０の表面２３に押し付けることにより、蝶番取付用スペーサ１を開き戸２０の切欠部２２に精度よく位置決めすることができる。
【００２６】
特に、係止片１４は、突出部１２が連設されていない基板１１の他方の側端縁に設けられているので、開き戸２０の切欠部２２に蝶番取付用スペーサ１を嵌め込んだ後、その基板１１上に重ね合わせた建具側蝶番３１の先端部を突出部１２に当接させて位置決めする際、係止片１４が開き戸２０の表面２３に自然に押し付けられて蝶番取付用スペーサ１が開き戸２０の所定位置に同時に位置決めされるので、開き戸２０に対する蝶番取付用スペーサ１の位置決めと、蝶番取付用スペーサ１に対する建具側蝶番３１の位置決めとを個別に行う必要がなく、良好な取付作業性を確保することができる。
【００２７】
また、係止片１４は、基板１１の側端縁の全長にわたって設けられているので、開き戸２０に形成された切欠部２２と、これに嵌め込まれた蝶番取付用スペーサ１との間に上下方向の隙間が形成されている場合であっても、係止片１４を開き戸２０の表面２３に押し付ける際、切欠部２２内において蝶番取付用スペーサ１が回転することがなく、蝶番取付用スペーサ１、ひいては建具側蝶番３１を開き戸２０に対して精度よく位置決めすることができる。
【００２８】
さらに、建具側蝶番３１を開き戸２０の上下方向に位置決めするための突出部１３における基板１１の他方の側端部側に、外側に張り出して開き戸２０の表面２３に当接する係止片１５が設けられているので、切欠部２２と蝶番取付用スペーサ１との間に上下方向の隙間が形成されている場合であっても、その隙間が係止片１５によって隠蔽されるので、蝶番取付用スペーサ１を介して建具側蝶番３１が取り付けられた開き戸２０の意匠性が向上するという効果がある。
【００２９】
なお、上述した実施形態では、突出部１２が連設されていない基板１１の他方の側端縁及び突出部１３における基板１１の他方の側端部側に係止片１４、１５を設ける構成を採用しているが、これに限定されるものではなく、図５（ａ）、（ｂ）に示す蝶番取付用スペーサ２のように、基板１１の一方の側端部に連設された突出部１２に、基板１１の裏面側に張り出す係止片１４ａ及び外側（上下方向）に張り出す係止片１５ａを設けることも可能である。
【００３０】
ただし、こういった蝶番取付用スペーサ２では、開き戸２０に対する蝶番取付用スペーサ２の位置決めと、蝶番取付用スペーサ２に対する建具側蝶番３１の位置決めとを個別に行う必要があるので、上述した蝶番取付用スペーサ１に比べて、建具側蝶番３１の取付作業性が悪くなるという欠点がある。
【００３１】
また、同図（ｃ）、（ｄ）に示す蝶番取付用スペーサ３のように、突出部１２が連設されていない基板１１の他方の側端縁及び突出部１３における基板１１の他方の側端部側に係止片１４、１５をそれぞれ設けると共に、基板１１の一方の側端部に連設された突出部１２に、基板１１の裏面側に張り出す係止片１４ａ及び外側（上下方向）に張り出す係止片１５ａをそれぞれ設けることも可能であり、こういった蝶番取付用スペーサ３では、開き戸２０の側端面２１に形成された切欠部２２に嵌め込むと、係止片１４、１５及び係止片１４ａ、１５ａの双方が、開き戸２０の表面（内面及び外面）２３、２３に同時に当接して開き戸２０に対して蝶番取付用スペーサ３が確実に位置決めされるので、係止部を開き戸の表面に押し付けて位置決めする必要がなく、建具側蝶番３１の取付作業性がさらに向上する。
【００３２】
また、上述した各実施形態では、基板１１の裏面側に張り出す係止片１４、１４ａと、上下方向に張り出す係止片１５、１５ａの双方を設けているが、これに限定されるものではなく、係止片１４、１４ａまたは係止片１５、１５ａのいずれか一方のみを設けておけばよい。
【００３３】
また、上述した実施形態では、基板１１の他方の側端縁の全長にわたって係止片１４を設けているが、これに限定されるものではなく、基板１１の他方の側端縁に部分的に係止片を設けることも可能である。
【００３４】
また、上述した各実施形態では、基板１１に複数のネジ挿通穴１１ａを個別に形成しているが、これに限定されるものではなく、図６（ａ）に示す蝶番取付用スペーサ４のように、複数のネジ挿通穴を含むような大きな開口１１ｂを形成することも可能である。
【００３５】
また、同図（ｂ）に示すように、基板１１の表面側に両面テープ１６を貼着しておくと、この両面テープ１６によって、建具側蝶番３１を蝶番取付用スペーサに位置決めした状態に保持することができるので、建具側蝶番３１を開き戸２０にネジ止めする際の作業性が向上するという効果がある。
【００３６】
また、上述した実施形態では、建具側蝶番３１を上下方向に位置決めする突出部１３が基板１１の上下端部にそれぞれ連設されているが、突出部１３は必ずしも設ける必要はない。ただし、突出部１３を設けない場合は、切欠部２２を建具側蝶番３１が丁度嵌り込む幅に形成しておかなければならないことはいうまでもない。
【図面の簡単な説明】
【図１】（ａ）はこの発明にかかる蝶番取付用スペーサの一実施形態を示す側面図、（ｂ）は同上の蝶番取付用スペーサを示す平面図、（ｃ）は（ｂ）のＸ−Ｘ線に沿った断面図である。
【図２】（ａ）、（ｂ）及び（ｃ）、（ｄ）は同上の蝶番取付用スペーサを用いて開き戸に建具側蝶番を取り付ける方法を示す工程図である。
【図３】（ａ）、（ｂ）及び（ｃ）、（ｄ）は同上の蝶番取付用スペーサを用いて開き戸に建具側蝶番を取り付ける方法を示す工程図である。
【図４】同上の蝶番取付用スペーサを用いて建具側蝶番が取り付けられた開き戸をドア枠に取り付けた状態を示す斜視図である。
【図５】（ａ）、（ｂ）及び（ｃ）、（ｄ）は蝶番取付用スペーサの他の実施形態を示す平面図及び断面図である。
【図６】（ａ）、（ｂ）は蝶番取付用スペーサのさらに他の実施形態を示す平面図である。
【図７】（ａ）、（ｂ）は開き戸に対する建具側蝶番の従来の取付方法を説明するための説明図である。
【図８】（ａ）、（ｂ）は同上の取付方法を採用した場合の問題点を説明するための説明図である。
【図９】（ａ）は従来の蝶番取付用スペーサを示す平面図、（ｂ）は（ａ）のＹ−Ｙ線に沿った断面図である。
【図１０】（ａ）〜（ｆ）は従来の蝶番取付用スペーサを用いて開き戸に建具側蝶番を取り付ける方法を示す工程図である。
【図１１】（ａ）、（ｂ）及び（ｃ）、（ｄ）は、従来の蝶番取付用スペーサを用いて開き戸に建具側蝶番を取り付ける際の問題点を説明するための説明図である。
【符号の説明】
１、２、３、４  蝶番取付用スペーサ
１１  基板
１１ａ  ネジ挿通穴
１１ｂ  開口部
１２、１３  突出部
１４、１５  係止片
１６  両面テープ
２０  開き戸
２１  側端面
２２  切欠部
２３  表面
３１  建具側蝶番
３２  ネジ挿通穴
３３  ネジ
【図１】
0004351739.tif 000002
【図２】
0004351739.tif 000003
【図３】
0004351739.tif 000004
【図４】
0004351739.tif 000005
【図５】
0004351739.tif 000006
【図６】
0004351739.tif 000007
【図７】
0004351739.tif 000008
【図８】
0004351739.tif 000009
【図９】
0004351739.tif 000010
【図１０】
0004351739.tif 000011
【図１１】
0004351739.tif 000012